(57)【要約】  【課題】  フロントパネルをシャーシに取り付ける際、シャーシに対するフロントパネルの前後の位置決めは勿論のこと、ビスを用いずに左右の位置決めも行うことができるフロントパネルの取付構造を提供する。  【解決手段】  フロントパネル５２をシャーシ１１に取り付ける際、フロントパネル５２の底部５２１の嵌合孔５２５，５２６，５２７に、シャーシ１１の前後位置決めフック１１１，１１２，１１３を引っ掛け、前後位置決めフック１１１，１１２，１１３を嵌合孔５２５，５２６，５２７にそれぞれ嵌合させる。これにより、シャーシ１１に対するフロントパネル５２の前後の位置決めが完了する。また、この前後の位置決め時に、シャーシ１１の一対の左右位置決めフック１１５，１１６が取付部５２３の側面に当接することにより、シャーシ１１に対するフロントパネル５２の左右の位置決めが完了する。【選択図】      図１
2005327358.tif 000002
【特許請求の範囲】
【請求項１】
装置本体の主要部を構成するシャーシと、該シャーシの前面に取り付けられるフロント
パネルと、前記シャーシを覆うシャーシカバーとから構成された筐体を有する情報記録再
生装置において、前記フロントパネルの前後方向の位置決めを行うための前後位置決めフ
ックを、前記フロントパネルの底部に形成された複数個の取付部の嵌合孔が嵌合される部
分にそれぞれ対応する前記シャーシの裏面の位置に複数個形成し、前記複数個の前後位置
決めフックのうちの中央の前後位置決めフックが嵌合される嵌合孔を有する取付部の左右
両端の位置に対応した前記シャーシの裏面に、前記フロントパネルの左右方向の位置決め
を行うため、前記取付部の側面に当接する当接面が傾斜状の形状を有する一対の左右位置
決めフックを形成して構成したことを特徴とするフロントパネル取付構造。
【請求項２】
装置本体の主要部を構成するシャーシと、該シャーシの前面に取り付けられるフロント
パネルと、前記シャーシを覆うシャーシカバーとから構成された筐体を有する電子機器に
おいて、前記フロントパネルの前後方向の位置決めを行うための前後位置決めフックを、
前記シャーシの裏面の第１の所定位置に複数個形成し、前記シャーシの裏面の第２の所定
位置に、前記フロントパネルの左右方向の位置決めを行うための一対の左右位置決めフッ
クを形成して構成したことを特徴とするフロントパネル取付構造。
【請求項３】
前記前後位置決めフックを形成するシャーシの裏面の第１の所定位置とは、前記フロン
トパネルの底部に形成された複数個の取付部の嵌合孔が嵌合される部分にそれぞれ対応す
る前記シャーシの裏面の位置であり、前記一対の左右位置決めフックを形成するシャーシ
の裏面の第２の所定位置とは、前記複数個の前後位置決めフックのうちの中央の前後位置
決めフックが嵌合される嵌合孔を有する取付部の左右両端の位置に対応した前記シャーシ
の裏面の位置であることを特徴とする請求項２に記載のフロントパネル取付構造。
【請求項４】
前記取付部の側面に当接する一対の左右位置決めフックの当接面を、傾斜状に形成した
ことを特徴とする請求項３に記載のフロントパネル取付構造。
【請求項５】
前記電子機器は情報記録再生装置であることを特徴とする請求項２に記載のフロントパ
ネル取付構造。
【発明の詳細な説明】
【技術分野】
【０００１】
本発明は、装置本体の主要部を構成するシャーシと、該シャーシの前面に取り付けられ
るフロントパネルと、前記シャーシを覆うシャーシカバーとから構成された筐体を有する
情報記録再生装置などの電子機器におけるフロントパネル取付構造に関する。
【背景技術】
【０００２】
図５は、この種の筐体を有する情報記録再生装置の外観を示す斜視図である。図５にお
いて、５１は装置本体の大部分を構成するシャーシカバーを示し、このシャーシカバー５
１の内部には、装置本体の主要部を構成するシャーシが収容されている。そして、そのシ
ャーシの前面にフロントパネル５２が取り付けられている。５３はフロントパネル５２の
右側に設けられ装置本体に対してディスクトレイが出し入れされる挿入口の開閉を行う開
閉パネルを示す。５４はフロントパネル５２の左側に設けられ装置本体に対してビデオテ
ープが出し入れされる挿入口の開閉を行う開閉パネルを示す。５５は操作キー、５６は音
量調整ボリュームなどを示す。筐体５０としては、装置本体の主要部を構成するシャーシ
６１（図６参照）と、シャーシ６１の前面に取り付けられたフロントパネル５２と、シャ
ーシ６１を覆うシャーシカバー５１とから構成されている。
【０００３】
図６は従来のフロントパネルの取付構造を説明するための筐体を裏から見た平面図であ
る。図６において、５２１はフロントパネル５２の底部を示し、この底部５２１には、シ
ャーシ６１との取り付けを行うための３個の取付部５２２，５２３，５２４が所定間隔を
置いて形成されている。取付部５２２，５２３，５２４には、嵌合孔５２５，５２６，５
２７がそれぞれ形成されている。一方、シャーシ６１の裏面６１４には、フロントパネル
５２の前後方向の位置決めを行うための前後位置決めフック６１１，６１２，６１３が形
成されている。
【特許文献１】特開平６−３０２０７６号公報
【特許文献２】実開平４−１３５４３６号公報
【特許文献３】特開平６−１９６８７０号公報
【発明の開示】
【発明が解決しようとする課題】
【０００４】
ところで、このような構成において、フロントパネル５２をシャーシ６１に取り付ける
際、フロントパネル５２の底部５２１に形成されている嵌合孔５２５，５２６，５２７に
、シャーシ６１の裏面６１４に形成されている前後位置決めフック６１１，６１２，６１
３を引っ掛け、前後位置決めフック６１１，６１２，６１３を嵌合孔５２５，５２６，５
２７にそれぞれ嵌合させる。
【０００５】
しかしながら、このような従来のフロントパネルの取付構造においては、前後位置決め
フック６１１，６１２，６１３は、シャーシ６１に対するフロントパネル５２の前後の位
置決めだけを行っているので、フロントパネル５２を図示しないビスによりシャーシ６１
に固定して、シャーシ６１に対するフロントパネル５２の左右の位置決めを行う必要があ
り、このため、ビスの取り付け作業が余分に必要となり、作業効率の向上を図ることが難
しく、また、外からビスが見えるので、フロントパネル５２の外観にも悪影響を与えるな
どの課題があった。
【０００６】
なお、特許文献１の従来技術は、テープデッキにおける天板の取付構造に関するもので
あり、フロントパネル取付構造に関するものではない。特許文献２の従来技術は、トップ
カバーの取付構造に関するものであり、フロントパネル取付構造に関するものではない。
特許文献３の従来技術は、フロントケースにフロントパネルを装着するもので、フロント
パネルをシャーシの前面に取り付ける構造のものではない。
【０００７】
本発明は、上記のような課題を解決するためになされたもので、フロントパネルをシャ
ーシに取り付ける際、シャーシに対するフロントパネルの前後の位置決めは勿論のこと、
ビスを用いずに左右の位置決めも行うことができるフロントパネルの取付構造を提供する
ことを目的とする。
【課題を解決するための手段】
【０００８】
上記目的を達成するために、請求項１の発明は、装置本体の主要部を構成するシャーシ
と、該シャーシの前面に取り付けられるフロントパネルと、前記シャーシを覆うシャーシ
カバーとから構成された筐体を有する情報記録再生装置において、前記フロントパネルの
前後方向の位置決めを行うための前後位置決めフックを、前記フロントパネルの底部に形
成された複数個の取付部の嵌合孔が嵌合される部分にそれぞれ対応する前記シャーシの裏
面の位置に複数個形成し、前記複数個の前後位置決めフックのうちの中央の前後位置決め
フックが嵌合される嵌合孔を有する取付部の左右両端の位置に対応した前記シャーシの裏
面に、前記フロントパネルの左右方向の位置決めを行うため、前記取付部の側面に当接す
る当接面が傾斜状の形状を有する一対の左右位置決めフックを形成して構成したことを特
徴とするフロントパネル取付構造を提供する。
【０００９】
この構成において、フロントパネルをシャーシに取り付ける際、フロントパネルの底部
に形成されている嵌合孔に、シャーシの裏面に形成されている前後位置決めフックを引っ
掛け、前後位置決めフックを嵌合孔にそれぞれ嵌合させる。これにより、シャーシに対す
るフロントパネルの前後の位置決めが完了する。
【００１０】
また、この前後の位置決め時に、中央の前後位置決めフックが嵌合される嵌合孔を有す
る取付部の左右両端の位置に対応したシャーシの裏面に形成された一対の左右位置決めフ
ックが、フロントパネルの底部の中央に位置する取付部の側面に当接することにより、シ
ャーシに対するフロントパネルの左右の位置決めが完了する。一対の左右位置決めフック
がフロントパネルの底部の中央に位置する取付部の側面に当接する際、一対の左右位置決
めフックの当接面は傾斜状の形状になっているので、取付部の側面が一対の左右位置決め
フックの間にスムーズに入るようになり、これにより、フロントパネルの取り付けの作業
性も良くなる。
【００１１】
この構成によれば、フロントパネルをシャーシに取り付ける際、シャーシに対するフロ
ントパネルの前後の位置決めは勿論のこと、ビスを用いずに左右の位置決めも行うことが
できる。したがって、ビスの取り付け作業が不要となり、作業効率の向上を図ることがで
き、また、ビスを用いないので、フロントパネルの外観も良くなる。
【００１２】
請求項２の発明は、装置本体の主要部を構成するシャーシと、該シャーシの前面に取り
付けられるフロントパネルと、前記シャーシを覆うシャーシカバーとから構成された筐体
を有する電子機器において、前記フロントパネルの前後方向の位置決めを行うための前後
位置決めフックを、前記シャーシの裏面の第１の所定位置に複数個形成し、前記シャーシ
の裏面の第２の所定位置に、前記フロントパネルの左右方向の位置決めを行うための一対
の左右位置決めフックを形成して構成したことを特徴とするフロントパネル取付構造を提
供する。
【００１３】
この構成において、フロントパネルをシャーシに取り付ける際、フロントパネルの底部
に形成されている嵌合孔に、シャーシの裏面の第１の所定位置に形成されている前後位置
決めフックを引っ掛け、前後位置決めフックを嵌合孔にそれぞれ嵌合させる。これにより
、シャーシに対するフロントパネルの前後の位置決めが完了する。また、この前後の位置
決め時に、中央の前後位置決めフックが嵌合される嵌合孔を有する取付部の左右両端の位
置に対応したシャーシの裏面の第２の所定位置に形成された一対の左右位置決めフックが
、フロントパネルの底部の中央に位置する取付部の側面に当接することにより、シャーシ
に対するフロントパネルの左右の位置決めが完了する。
【００１４】
この構成によれば、フロントパネルをシャーシに取り付ける際、シャーシに対するフロ
ントパネルの前後の位置決めは勿論のこと、ビスを用いずに左右の位置決めも行うことが
できる。したがって、ビスの取り付け作業が不要となり、作業効率の向上を図ることがで
き、また、ビスを用いないので、フロントパネルの外観も良くなる。
【００１５】
請求項３の発明では、請求項２の発明において、前記前後位置決めフックを形成するシ
ャーシの裏面の第１の所定位置とは、前記フロントパネルの底部に形成された複数個の取
付部の嵌合孔が嵌合される部分にそれぞれ対応する前記シャーシの裏面の位置であり、前
記一対の左右位置決めフックを形成するシャーシの裏面の第２の所定位置とは、前記複数
個の前後位置決めフックのうちの中央の前後位置決めフックが嵌合される嵌合孔を有する
取付部の左右両端の位置に対応した前記シャーシの裏面の位置であるので、フロントパネ
ルの底部に形成されている嵌合孔に、シャーシの裏面に形成されている前後位置決めフッ
クを引っ掛け、前後位置決めフックを嵌合孔にそれぞれ嵌合させることが可能になり、ま
た、この前後の位置決め時に、中央の前後位置決めフックが嵌合される嵌合孔を有する取
付部の左右両端の位置に対応したシャーシの裏面に形成された一対の左右位置決めフック
が、フロントパネルの底部の中央に位置する取付部の側面に当接することが可能になる。
【００１６】
請求項４の発明では、請求項３の発明において、前記取付部の側面に当接する一対の左
右位置決めフックの当接面を、傾斜状に形成したので、取付部の側面が一対の左右位置決
めフックの間にスムーズに入るようになり、これにより、フロントパネルの取り付けの作
業性も良くなる。
【００１７】
請求項５の発明では、請求項２の発明において、前記電子機器は情報記録再生装置であ
るので、情報記録再生装置におけるフロントパネルに対するビスの取り付け作業が不要と
なり、作業効率の向上を図ることができ、また、ビスを用いないので、情報記録再生装置
におけるフロントパネルの外観も良くなる。
【発明の効果】
【００１８】
以上のように本発明によれば、情報記録再生装置において、フロントパネルの前後方向
の位置決めを行うための前後位置決めフックを、フロントパネルの底部に形成された複数
個の取付部の嵌合孔が嵌合される部分にそれぞれ対応するシャーシの裏面の位置に複数個
形成し、複数個の前後位置決めフックのうちの中央の前後位置決めフックが嵌合される嵌
合孔を有する取付部の左右両端の位置に対応したシャーシの裏面に、フロントパネルの左
右方向の位置決めを行うため、取付部の側面に当接する当接面が傾斜状の形状を有する一
対の左右位置決めフックを形成して構成したので、フロントパネルをシャーシに取り付け
る際、シャーシに対するフロントパネルの前後の位置決めは勿論のこと、ビスを用いずに
左右の位置決めも行うことができる。したがって、ビスの取り付け作業が不要となり、作
業効率の向上を図ることができ、また、ビスを用いないので、フロントパネルの外観も良
くなる。
【００１９】
また、発明によれば、電子機器において、フロントパネルの前後方向の位置決めを行う
ための前後位置決めフックを、シャーシの裏面の第１の所定位置に複数個形成し、シャー
シの裏面の第２の所定位置に、フロントパネルの左右方向の位置決めを行うための一対の
左右位置決めフックを形成して構成したので、フロントパネルをシャーシに取り付ける際
、シャーシに対するフロントパネルの前後の位置決めは勿論のこと、ビスを用いずに左右
の位置決めも行うことができる。したがって、ビスの取り付け作業が不要となり、作業効
率の向上を図ることができ、また、ビスを用いないので、フロントパネルの外観も良くな
る。
【発明を実施するための最良の形態】
【００２０】
以下、添付図面を参照しつつ、本発明の実施の形態について説明する。図１は本発明の
一実施形態に係る情報記録再生装置においてフロントパネルの取付構造を説明するための
筐体を裏から見た平面図である。図２は本実施形態において前後位置決めフックと左右位
置決めフックとその付近を拡大した平面図である。図３は本実施形態においてフロントパ
ネルがシャーシに取り付けられる前の取付部と前後位置決めフックと左右位置決めフック
とその付近を拡大した斜視図である。図４は本実施形態において左側の左右位置決めフッ
クの側面図である。
【００２１】
図１〜図４において、５２１はフロントパネル５２の底部を示し、この底部５２１には
、シャーシ１１との取り付けを行うための例えば３個の取付部５２２，５２３，５２４が
所定間隔を置いて形成されている。取付部５２２，５２３，５２４には、嵌合孔５２５，
５２６，５２７がそれぞれ形成されている。一方、シャーシ１１の裏面１１４には、フロ
ントパネル５２の前後方向の位置決めを行うための前後位置決めフック１１１，１１２，
１１３が形成されている。これらの前後位置決めフック１１１，１１２，１１３は、シャ
ーシ１１から切り起こしたものである。なお、前後位置決めフック１１１，１１２，１１
３の形状は、図のような形状に限ることはない。
【００２２】
また、３個の前後位置決めフック１１１，１１２，１１３のうちの中央の前後位置決め
フック１１２が嵌合される嵌合孔５２６を有する取付部５２３の左右両端の位置に対応し
たシャーシ１１の裏面１１４には、フロントパネル５２の左右方向の位置決めを行うため
、取付部５２３の側面に当接する当接面が傾斜状の形状になった傾斜部１１５ａ，１１６
ａを有する一対の左右位置決めフック１１５，１１６が形成されている。この一対の左右
位置決めフック１１５，１１６は、シャーシ１１から切り起こしたものである。なお、左
右位置決めフック１１５，１１６の形状は、図のような形状に限ることはない。
【００２３】
この構成において、フロントパネル５２をシャーシ１１に取り付ける際、フロントパネ
ル５２の底部５２１に形成されている嵌合孔５２５，５２６，５２７に、シャーシ１１の
裏面１１４に形成されている前後位置決めフック１１１，１１２，１１３を引っ掛け、前
後位置決めフック１１１，１１２，１１３を嵌合孔５２５，５２６，５２７にそれぞれ嵌
合させる。これにより、シャーシ１１に対するフロントパネル５２の左右の位置決めが完
了する。
【００２４】
また、この前後の位置決め時に、中央の前後位置決めフック１１２が嵌合される嵌合孔
５２６を有する取付部５２６の左右両端の位置に対応したシャーシ１１の裏面に形成され
た一対の左右位置決めフック１１５，１１６が、フロントパネル５２の底部５２１の中央
に位置する取付部５２３の側面に当接することにより、シャーシ１１に対するフロントパ
ネル５２の左右の位置決めが完了する。
【００２５】
一対の左右位置決めフック１１５，１１６がフロントパネル５２の底部５２１の中央に
位置する取付部５２３の側面に当接する際、一対の左右位置決めフック１１５，１１６の
当接面は傾斜状の形状になっているので、取付部５２３の側面が一対の左右位置決めフッ
ク１１５，１１６の間にスムーズに入るようになり、これにより、フロントパネル５２の
取り付けの作業性も良くなる。
【００２６】
この実施形態によれば、フロントパネル５２をシャーシ１１に取り付ける際、シャーシ
１１に対するフロントパネル５２の前後の位置決めは勿論のこと、ビスを用いずに左右の
位置決めも行うことができる。したがって、ビスの取り付け作業が不要となり、作業効率
の向上を図ることができ、また、ビスを用いないので、フロントパネル５２の外観も良く
なる。
【図面の簡単な説明】
【００２７】
【図１】本発明の一実施形態に係る情報記録再生装置においてフロントパネルの取付構造を説明するための筐体を裏から見た平面図である。
【図２】前記実施形態において前後位置決めフックと左右位置決めフックとその付近を拡大した平面図である。
【図３】前記実施形態においてフロントパネルがシャーシに取り付けられる前の取付部と前後位置決めフックと左右位置決めフックとその付近を拡大した斜視図である。
【図４】前記実施形態において左側の左右位置決めフックの側面図である。
【図５】この種の筐体を有する情報記録再生装置の外観を示す斜視図である。
【図６】従来のフロントパネルの取付構造を説明するための筐体を裏から見た平面図である。
【符号の説明】
【００２８】
１１    シャーシ
５０    筐体
５１    シャーシカバー
５２    フロントパネル
１１１，１１２，１１３    前後位置決めフック
１１４    シャーシの裏面
１１５，１１６    左右位置決めフック
１１５ａ，１１６ａ    傾斜部
５２１    フロントパネルの底部
５２２，５２３，５２４    取付部
５２５，５２６，５２７    嵌合孔
【図１】
2005327358.tif 000003
【図２】
2005327358.tif 000004
【図３】
2005327358.tif 000005
【図４】
2005327358.tif 000006
【図５】
2005327358.tif 000007
【図６】
2005327358.tif 000008